(57)【要約】【課題】読み取り結果の画像データに施す処理に関するパラメータの設定についての利便性を向上させる。【解決手段】画像読取部２による読み取り結果の画像データに基づいて、パラメータ導出部６が、画像データに施す前処理及び後処理に適用するパラメータの値を導出し、前処理部７が、読取結果の画像データに対して前処理パラメータに従って前処理を施し、プレビュー表示部７が、前処理結果の画像データに基づく画像をプレビュー表示し、その際に、パラメータ導出部６により導出されたパラメータの値を関連付け表示し、後処理部９が、プレビュー表示部８によるプレビュー表示後に、ユーザから後処理の開始指示を受け付けたことに応じて、前処理結果の画像データに対して後処理パラメータに従って後処理を施す。【選択図】図１
2014017636.tif 000002
【特許請求の範囲】
【請求項１】
画像を読み取る読取手段と、
前記読取手段による読み取り結果の画像データに基づいて、当該画像データに施す処理に適用するパラメータの値を導出する導出手段と、
前記導出手段により導出されたパラメータの値を、前記画像データに基づく画像の表示に関連付けて表示する表示手段と、
ことを特徴とする画像読取装置。
【請求項２】
前記表示手段は、前記画像データに基づいて導出されたパラメータの値の確度が基準を満たさない場合に、当該画像データに基づく画像の表示を強調する、
ことを特徴とする請求項１に記載の画像読取装置。
【請求項３】
前記表示手段は、前記画像データに基づいて導出されたパラメータの値の確度が基準を満たさない場合に、当該パラメータに係る表示を強調する、
ことを特徴とする請求項１又は請求項２に記載の画像読取装置。
【請求項４】
前記表示手段は、前記画像データに基づいて導出されたパラメータの値の確度が基準を満たさない場合に、当該パラメータの値の確度が基準を満たさない旨を表示する、
ことを特徴とする請求項１乃至請求項３のいずれか１項に記載の画像読取装置。
【請求項５】
前記パラメータの値として初期値を設定可能であり、
前記表示手段は、初期値を設定したパラメータの値を、前記画像データに基づく画像の表示に関連付けて表示する、
ことを特徴とする請求項１乃至請求項４のいずれか１項に記載の画像読取装置。
【請求項６】
前記パラメータは、画像データの品質を調整する前処理に適用する前処理パラメータを含み、
前記表示手段は、前記画像データに基づく画像の表示を、前処理パラメータの値に従って品質を調整した態様で行う、
ことを特徴とする請求項１乃至請求項５のいずれか１項に記載の画像読取装置。
【請求項７】
前記パラメータは、画像データを出力する後処理に適用する後処理パラメータを含み、
後処理パラメータの値に従って後処理を実行する後処理手段を備えた、
ことを特徴とする請求項１乃至請求項６のいずれか１項に記載の画像読取装置。
【請求項８】
前記導出手段により導出されたパラメータの値をユーザ指示に従って変更する変更手段を備え、
前記表示手段は、前記変更手段によるパラメータの値の変更を表示内容に反映させる、
ことを特徴とする請求項１乃至請求項７のいずれか１項に記載の画像読取装置。
【請求項９】
コンピュータに、
画像を読み取る読取手段による読み取り結果の画像データに基づいて、当該画像データに施す処理に適用するパラメータの値を導出する導出機能と、
前記導出機能により導出されたパラメータの値を、前記画像データに基づく画像の表示に関連付けて表示する表示機能と、
を実現させるためのプログラム。
【発明の詳細な説明】
【技術分野】
【０００１】
本発明は、画像読取装置及びプログラムに関する。
【背景技術】
【０００２】
近年、原稿を画像読み取り（スキャン）して処理する機能を備えた装置が実用に供されている。このような装置としては、例えば、読み取り結果の画像データに基づく画像を用紙等の媒体に印刷するコピー機、読み取り結果の画像データを指定された宛先へ伝送するファクシミリ、読み取り結果の画像データを指定された格納先へ保存するスキャナーなどがある。以下では、これらの装置を画像読取装置と称する。
【０００３】
画像読取装置にて原稿を画像読み取りするにあたり、読み取り結果の画像データに施す処理に関するパラメータを自動的に設定することが行なわれている。例えば、ＡＣＳ（Ａｕｔｏ  Ｃｏｌｏｒ  Ｓｅｌｅｃｔｉｏｎ）では、読み取り結果の画像データを解析して色に関するパラメータを自動的に設定する。
【０００４】
ここで、上記のような画像読取装置に関し、これまでに種々の発明が提案されている。
例えば、特許文献１には、入力情報の構成要素を解析し、解析結果に基づいて、入力情報のページ毎に、該ページにおける情報が占める領域の画定を表す領域表象の情報を生成し、領域表象の情報に基づいて、ページ毎の領域表象を重ね合わせた仕上がり予想表示の情報を生成して表示し、入力情報に対して施す処理項目を表示して該処理項目から処理の指定を受け付け、指定入力に従って処理を後の仕上がり予想表示の情報を更に生成する発明が開示されている。
【０００５】
例えば、特許文献２には、出力画像データに対して指示されたカラー設定の設定内容に拘わらず、カラー画像データが、カラー原稿を表す画像データであるかモノクロ原稿を表す画像データであるかを判定し、判定結果をカラー画像データと関連付けて記録し、カラー設定の変更指示を受け付けると、当該変更指示で変更されたカラー設定に従った出力画像データを、判定結果及びカラー画像データに基づいて生成する発明が開示されている。
【０００６】
例えば、特許文献３には、読み取った原稿の画像データを記憶し、画像データに基づく原稿の画像をページ毎に表示し、送信すべきページ及びそのページの画像の解像度が選択されると、選択されたページの画像に対応する画像データを選択された解像度に変換して送信データを生成し、送信データを送信する発明が開示されている。
【先行技術文献】
【特許文献】
【０００７】
【特許文献１】特開２００７−１８５９４３号公報
【特許文献２】特開２０１０−１８３４５６号公報
【特許文献３】特開２００４−１７２８７４号公報
【発明の概要】
【発明が解決しようとする課題】
【０００８】
本発明は、画像読取装置において、読み取り結果の画像データに施す処理に関するパラメータの設定についての利便性を向上させることが可能な技術を提案することを目的とする。
【課題を解決するための手段】
【０００９】
請求項１に係る本発明は、画像を読み取る読取手段と、前記読取手段による読み取り結果の画像データに基づいて、当該画像データに施す処理に適用するパラメータの値を導出する導出手段と、前記導出手段により導出されたパラメータの値を、前記画像データに基づく画像の表示に関連付けて表示する表示手段と、ことを特徴とする画像読取装置である。
【００１０】
請求項２に係る本発明は、請求項１に係る本発明において、前記表示手段は、前記画像データに基づいて導出されたパラメータの値の確度が基準を満たさない場合に、当該画像データに基づく画像の表示を強調する、ことを特徴とする画像読取装置である。
【００１１】
請求項３に係る本発明は、請求項１又は請求項２に係る本発明において、前記表示手段は、前記画像データに基づいて導出されたパラメータの値の確度が基準を満たさない場合に、当該パラメータに係る表示を強調する、ことを特徴とする画像読取装置である。
【００１２】
請求項４に係る本発明は、請求項１〜請求項３に係る本発明において、前記表示手段は、前記画像データに基づいて導出されたパラメータの値の確度が基準を満たさない場合に、当該パラメータの値の確度が基準を満たさない旨を表示する、ことを特徴とする画像読取装置である。
【００１３】
請求項５に係る本発明は、請求項１〜請求項４に係る本発明において、前記パラメータの値として初期値を設定可能であり、前記表示手段は、初期値を設定したパラメータの値を、前記画像データに基づく画像の表示に関連付けて表示する、ことを特徴とする画像読取装置である。
【００１４】
請求項６に係る本発明は、請求項１〜請求項５に係る本発明において、前記パラメータは、画像データの品質を調整する前処理に適用する前処理パラメータを含み、前記表示手段は、前記画像データに基づく画像の表示を、前処理パラメータの値に従って品質を調整した態様で行う、ことを特徴とする画像読取装置である。
【００１５】
請求項７に係る本発明は、請求項１〜請求項６に係る本発明において、前記パラメータは、画像データを出力する後処理に適用する後処理パラメータを含み、後処理パラメータの値に従って後処理を実行する後処理手段を備えた、ことを特徴とする画像読取装置である。
【００１６】
請求項８に係る本発明は、請求項１〜請求項７に係る本発明において、前記導出手段により導出されたパラメータの値をユーザ指示に従って変更する変更手段を備え、前記表示手段は、前記変更手段によるパラメータの値の変更を表示内容に反映させる、ことを特徴とする画像読取装置である。
【００１７】
請求項９に係る本発明は、コンピュータに、画像を読み取る読取手段による読み取り結果の画像データに基づいて、当該画像データに施す処理に適用するパラメータの値を導出する導出機能と、前記導出機能により導出されたパラメータの値を、前記画像データに基づく画像の表示に関連付けて表示する表示機能と、を実現させるためのプログラムである。
【発明の効果】
【００１８】
請求項１，９に係る本発明によれば、ユーザは、読み取り結果の画像データの確認の際に、当該画像データに基づいて導出されたパラメータ（自動設定されたパラメータ）の値が自分の期待通りの値か（或いは許容される程度の値か）否かを判断可能になり、本発明を適用しない場合に比べてパラメータの設定についての利便性が向上する。
【００１９】
請求項２〜４に係る本発明によれば、読み取り結果の画像データに基づいて導出されたパラメータの値の確度が基準を満たさないことを容易に把握できるようになる。
【００２０】
請求項５に係る本発明によれば、初期値が設定されたパラメータについて、その値の確認を読み取り結果の画像データの確認の際に行なえるようになる。
【００２１】
請求項６に係る本発明によれば、読み取り結果の画像データに基づいて導出された、当該画像データに対する前処理に適用する前処理パラメータの値を、当該画像データの確認の際に確認できるようになる。
【００２２】
請求項７に係る本発明によれば、読み取り結果の画像データに基づいて導出された、当該画像データに対する後処理に関する後処理パラメータの値を、当該画像データの確認の際に確認できるようになる。
【００２３】
請求項８に係る本発明によれば、読み取り結果の画像データに基づいて導出されたパラメータの値を、当該画像データの確認の際にユーザが変更できるようになる。
【図面の簡単な説明】
【００２４】
【図１】本発明の一実施形態に係る画像読取装置の構成例を示す図である。
【図２】本発明の一実施形態に係る画像読取装置によるプレビュー表示の例を示す図である。
【図３】本発明の一実施形態に係る画像読取装置によるプレビュー表示の例を示す図である。
【図４】本発明の一実施形態に係る画像読取装置の動作フローの例を示す図である。
【図５】本発明の一実施形態に係る画像読取装置に関し、複数枚の原稿読み取りについてページ毎に適用されるパラメータの例を示す図である。
【図６】本発明の一実施形態に係る画像読取装置に関し、複数枚の原稿読み取りについて全体に適用されるパラメータの例を示す図である。
【図７】本発明の一実施形態に係る画像読取装置によるプレビュー表示の例を示す図である。
【発明を実施するための形態】
【００２５】
本発明の一実施形態に係る画像読取装置について説明する。
以下では、画像読取装置の一例として、セットされた原稿を画像読み取り（スキャン）して画像データを生成し、当該画像データに基づく各種の出力処理の機能を複合的に備えた複合機について説明する。複合機による出力処理としては、画像データを画像化して紙媒体に印刷する印刷処理、画像データを指定された宛先へ伝送するファクシミリ処理、画像データを指定された格納先へ保存する保存処理などが挙げられる。なお、画像読取装置としては、出力処理の機能を個別に備えたプリンタ、ファクシミリ、スキャナー等であってもよい。
【００２６】
ここで、本例の画像読取装置では、単に原稿を画像読み取りして出力処理を行うのではなく、原稿の画像読み取りを最も高い品質の画像データを得る設定で実施し、読み取り結果の画像データを元データにして、その品質を低下させる調整を前処理として実施することで、画像読み取りの品質を事後的に調整する仕組みになっている。そして、前処理結果の画像データに基づく画像をプレビュー表示してユーザの確認を得た後に、前処理結果の画像データに対して上記の出力処理の１以上を後処理として実施する。
【００２７】
図１には、本発明の一実施形態に係る画像読取装置の構成例を示してある。
本例の画像読取装置は、ユーザから各種の操作入力を受け付ける操作部１、セットされた原稿を画像読み取りして画像データを生成する画像読取部２、読み取り結果の画像データを含む各種のデータを記憶するデータ記憶部４、読み取り結果の画像データに対する処理（前処理及び後処理を含む）を行う画像データ処理部５、これらの機能部を統括的に制御する制御部３、を有する。また、データ処理部５は、パラメータ導出部６、前処理部７、プレビュー表示部８、後処理部９、を有する。
【００２８】
操作部１は、ユーザから、画像読み取りや後処理などの開始指示を受け付ける。また、前処理に適用するパラメータ（カラーモード、解像度等）や、後処理に適用するパラメータ（ファイルフォーマット等）に関する設定入力を受け付ける。
ここで、パラメータに関する設定入力では、ユーザが全てのパラメータの値を明示的に指定するのではなく、一部のパラメータは、通常、予め定められた初期値がそのまま設定される。また、一部のパラメータは、画像読取装置側で自動的に決定することが可能である。このような自動設定が可能なパラメータについては、自動設定する旨の指定をしておけば、読み取り結果の画像データから導出された値が自動的に設定に反映されることになる。なお、ユーザからの指定を受けずに常に自動設定されるパラメータもある。
各パラメータの設定内容（設定されたパラメータの値（ユーザの指定値又は初期値）の他、自動設定する旨の指定を含む）は、データ記憶部４に記憶される。
【００２９】
画像読取部２は、ユーザから画像読み取りの開始指示を受け付けたことに応じて、セットされた原稿の画像読み取りを行う。このとき、画像読取部２は、最も高い品質の画像データを得る設定で動作する。
読み取り結果の画像データは、データ記憶部４に記憶される。
【００３０】
パラメータ導出部６は、前処理及び後処理に適用するパラメータのうち、自動設定する旨の指定がなされたパラメータの値を、読み取り結果の画像データ（前処理を施す前の画像データ）に基づいて導出し、該当パラメータの値として設定する。
自動設定されたパラメータの値は、データ記憶部４に記憶される。
【００３１】
前処理部７は、データ記憶部４に記憶された読み取り結果の画像データを元データとして、データ記憶部４に記憶された前処理パラメータに従って前処理を施す。この前処理は、画像の品質を低下させる調整処理であり、例えば、画像データの解像度を低下させる処理や、画像データのサイズを縮小する処理や、フルカラーの画像データをグレースケールや白黒の画像データに変換する処理などが行なわれる。なお、画像の向きを変える処理など、画像の品質の低下とは異なる処理も、前処理に含まれ得る。
前処理結果の画像データは、その元となった読み取り結果の画像データとは別に、データ記憶部４に記憶される。
【００３２】
プレビュー表示部８は、前処理部７による前処理後に、データ記憶部４に記憶された前処理結果の画像データに基づく画像をプレビュー表示する。プレビュー表示に用いる画像としては、原寸の画像ではなく、予め定められた表示領域に収まる大きさに縮小された画像が用いられる。なお、ユーザ指示により、プレビュー表示の画像を、原寸の画像（或いは拡大した画像）の表示に切り替え、スクロール表示させるようにしてもよい。また、複数枚の原稿を連続して画像読み取りした場合のプレビュー表示では、各原稿の画像をユーザ指示により切り替え表示する。
【００３３】
後処理部９は、プレビュー表示部８によるプレビュー表示後に、ユーザから後処理の開始指示を受け付けたことに応じて、データ記憶部４に記憶された前処理結果の画像データに対して、データ記憶部４に記憶された後処理パラメータに従って後処理を施す。後処理としては、例えば、画像データを画像化して紙媒体に印刷する印刷処理、画像データを指定された宛先へ伝送するファクシミリ処理、画像データを指定された格納先へ保存する保存処理などの出力処理を行う。
【００３４】
ここで、本例のプレビュー表示部８では、プレビュー表示の際に、パラメータ導出部６によって自動設定されたパラメータの値を、プレビュー表示に関連付けて表示する。
図２（ａ）には、パラメータの値の関連付け表示の例を示してある。同図では、複数枚の原稿を連続して画像読み取りした場合の３枚目（３ページ目）の原稿画像のプレビュー表示において、前処理パラメータである「カラーモード」及び「読み取りサイズ」に、「フルカラー」及び「Ａ４」が自動的に設定された様子を示している。
このような関連付け表示により、ユーザは、自動設定されたパラメータの値を確認することができ、また、自動設定されたパラメータの値が自分の期待通りの値か（或いは許容される程度の値か）否かを判断することができる。
【００３５】
パラメータの値の関連付け表示は、図２（ａ）のようにプレビュー表示の画像に重ねて或いは並べて表示する態様の他、図３のようにプレビュー表示の画像とは別枠に表示する態様で行ってもよく、種々の態様により関連付け表示することができる。また、パラメータの値の関連付け表示は、パラメータの値そのものの表示でもよく、パラメータの値を模式的に表した図形などを用いた表示であってもよい。
【００３６】
なお、パラメータの値の関連付け表示において、自動設定されたパラメータの他に、初期値が設定されたパラメータの値を表示するようにしてもよい。すなわち、ユーザが明示的に値を指定したパラメータ以外のパラメータについて関連付け表示を行ってもよい。
ここで、表示領域内に全てのパラメータの値が表示できない場合には、自動設定されたパラメータの方を優先的に関連付け表示する方が好ましい。また、例えば、関連付け表示の対象となる全てのパラメータの値を示す画面を、ユーザの指示により別途表示するようにしてもよい。
【００３７】
また、本例の画像読取装置では、パラメータの値の関連付け表示の際に、そのパラメータの値の変更指示をユーザから受け付けることができる。変更されたパラメータの値は、データ記憶部４に記憶され、また、当該変更後のパラメータの値で関連付け表示が更新される。このとき、前処理パラメータの値が変更された場合には、前処理部７により、変更後の前処理パラメータの値に従って前処理を実行し直して、データ記憶部４における前処理結果の画像データを更新し、プレビュー表示も更新する。
【００３８】
図２（ｂ）には、前処理パラメータである「カラーモード」の値を「フルカラー」から「グレー」又は「白黒」に変更する際の様子を示してある。本例では、変更前の「カラーモード」の値である「フルカラー」が表示されると共に、「カラーモード」に設定可能な他の値である「グレー」又は「白黒」に変更する選択肢が表示されており、ユーザによりいずれかの選択肢が押下された場合に、当該選択肢の値で「カラーモード」の値を更新する仕組みになっている。
【００３９】
本例の画像読取装置の動作について、図４の動作フローを参照して説明する。なお、以下では、ファクシミリ処理を例に説明する。
まず、ユーザが、前処理及び後処理に係る各種のパラメータに関する設定入力を行う（ステップＳ１）。各パラメータの設定内容は、データ記憶部４に記憶される。
その後、ユーザが、画像読み取りの開始を指示する操作入力を行うと、画像読取部１が、セットされた原稿の画像読み取りを行う（ステップＳ２）。読み取り結果の画像データは、データ記憶部２に記憶される。
画像読取部１による画像読み取りの後、パラメータ導出部６が、自動設定する旨の指定がなされたパラメータについて、読み取り結果の画像データに基づいて値の導出を行ない、導出された値を該当パラメータに設定する（ステップＳ３）。自動設定されたパラメータの値は、データ記憶部４に記憶される。
【００４０】
次に、前処理部３が、データ記憶部２に記憶された読み取り結果の画像データに対し、データ記憶部２に記憶された前処理パラメータの値に従って、前処理を行う（ステップＳ４）。前処理結果の画像データは、その元となった読み取り結果の画像データとは別に、データ記憶部４に記憶される。
その後、プレビュー表示部４が、データ記憶部２に記憶された前処理結果の画像データに基づく画像をプレビュー表示する（ステップＳ５）。このとき、プレビュー表示部４は、プレビュー表示の画像に関連付けて、自動設定されたパラメータ（及び初期値が設定されたパラメータ）の値も表示する。
【００４１】
また、プレビュー表示部４は、自動設定されたパラメータについて、ユーザによる値の変更の有無を判断し（ステップＳ６）、変更があると判断された場合には、変更後のパラメータの値をデータ記憶部２に記憶させる。
このとき、ユーザ変更されたパラメータに前処理パラメータが含まれる場合には、プレビュー表示部４は、データ変換中である旨の表示を行い（ステップＳ７）、前処理部３を呼び出す。
前処理部３は、データ記憶部２に記憶された読み取り結果の画像データに対し、データ記憶部２に記憶された変更後の前処理パラメータの値に従って、前処理を実行し直して、データ記憶部２における前処理結果の画像データを更新する（ステップＳ８）。
その後、プレビュー表示部４が、データ記憶部２に記憶された更新後の前処理結果の画像データに基づく画像で、プレビュー表示をやり直す（ステップＳ９）。このプレビュー表示には、変更後のパラメータの値が関連付けて表示される。
【００４２】
ユーザは、必要に応じて、自動設定されたパラメータの値の更なる変更を行うことができ、更なるユーザ変更がなされた場合には、上記の処理（ステップＳ７〜Ｓ９）が行なわれる。
なお、ユーザに変更されたパラメータに前処理パラメータが含まれない場合（後処理パラメータのみ変更された場合）には、前処理部３による前処理の再実行は行なわれず、プレビュー表示はそのままで、パラメータの値の関連付け表示のみが更新される。
【００４３】
一方、ステップＳ１６で、ユーザ変更がないと判断された場合には、プレビュー表示部４は、ユーザから後処理の開始指示を受けたことに応じて、後処理（本例では、ファクシミリ処理）の実施中である旨の表示を行い（ステップＳ１０）、後処理部５を呼び出す。
後処理部５は、データ記憶部２に記憶された前処理結果の画像データに対し、データ記憶部２に記憶された後処理パラメータの値に従って、後処理（本例では、ファクシミリ処理）を行う（ステップＳ１１）。
【００４４】
以上のように、本例の画像読取装置では、画像読取部２による読み取り結果の画像データに基づいて、パラメータ導出部６が、画像データに施す前処理及び後処理に適用するパラメータの値を導出し、前処理部７が、読取結果の画像データに対して前処理パラメータに従って前処理を施し、プレビュー表示部７が、前処理結果の画像データに基づく画像をプレビュー表示し、その際に、パラメータ導出部６により導出されたパラメータの値を関連付け表示し、後処理部９が、プレビュー表示部８によるプレビュー表示後に、ユーザから後処理の開始指示を受け付けたことに応じて、前処理結果の画像データに対して後処理パラメータに従って出力処理（後処理）を施す。また、関連付け表示されたパラメータの値を、ユーザの指示に従って変更可能にした。
【００４５】
このように、原稿を画像読み取りして得た画像データに基づく出力処理を行う前に、当該画像データに基づくプレビュー表示を行ない、その際に、自動設定されたパラメータの値を関連付けて表示することで、ユーザにパラメータの確認を促し、そのパラメータがユーザの意図と異なる場合には、パラメータの値を変更できるようにした。
【００４６】
ここで、パラメータには、複数枚の原稿読み取りについてページ毎に適用されるパラメータと、複数枚の原稿読み取りについて全体に適用されるパラメータとがある。
ページ毎に適用されるパラメータとしては、図５に例示するように、「カラーモード」、「読み取りサイズ」、「原稿の画質」、「読み込み濃度」、「シャープネス」、「地色除去」、「コントラスト」、「裏うつり防止」、「印画紙スキャン」、「読み取り解像度」、「ページ連写」、「ミックスサイズ原稿送り」、「わく消し」、「読み取り倍率」、「原稿セット向き指定」などがある。これらのパラメータは、主に、前処理に関するものである。
【００４７】
例えば、「カラーモード」のパラメータは、ユーザにより「自動」が指定され（もしくはユーザは指定を行なわないが初期値が「自動」であり）、その結果、「フルカラー」が自動設定されている。この設定は、プレビュー表示の際に関連付け表示され、変更可能であり、変更の選択肢として「グレーに変更」、「白黒に変更」などが提供される。
例えば、「読み取りサイズ」のパラメータは、ユーザにより「自動検知」が指定され（もしくはユーザは指定を行なわないが初期値が「自動」であり）、その結果、「Ａ４」が自動設定されている。この設定は、プレビュー表示の際に関連付け表示されるが、変更不可である。
例えば、「原稿の画質」のパラメータは、ユーザが指定を行なわず、その結果、初期値である「文字／写真」が設定されている。この設定は、プレビュー表示の際に関連付け表示されるが、変更不可である。
例えば、「読み込み濃度」のパラメータは、ユーザが指定を行なわず、その結果、初期値である「ふつう」が設定されている。この設定は、プレビュー表示の際に関連付け表示され、変更可能であり、変更の選択肢として「もっと濃く」、「もっと薄く」などが提供される。
例えば、「原稿セット向き指定」のパラメータは、ユーザが指定を行なわず、その結果、初期値である「左向き」が設定されている。この設定は、プレビュー表示を見ることによってユーザがその設定値が適正な指定だったかどうかを確認する性質のものであるため、プレビュー表示の際に関連付け表示しない。ここでは「原稿セット向き指定」のパラメータを変更することはできないが、プレビュー表示が期待する向きではなかった場合、ユーザは回転を指示することが可能である。
【００４８】
ここで、「カラーモード」及び「読み取りサイズ」はいずれも自動設定する旨の指定がなされているが、「カラーモード」は変更可能で変更の選択肢を提供するが、「読み取りサイズ」は変更不可で変更の選択肢は提供されないという違いがある。このように、自動設定されたパラメータは全てが変更可能とは限らず、不可能なものもある。また、初期値が設定されたパラメータも同様に、変更可能が可能なものもあれば不可能なものもあり、パラメータによっては関連付け表示もされない。
【００４９】
全体に適用されるパラメータとしては、図６に例示するように、「ファイルフォーマット」、「ファイル名」、「格納先／送信先」、「色空間」、「画質／ファイルサイズ」などがある。これらのパラメータは、主に、後処理に関するものである。
【００５０】
例えば、「ファイルフォーマット」のパラメータは、ユーザにより指定された「ＰＤＦ」が設定されている。この設定は、プレビュー表示の際に関連付け表示されず、変更不可であるとする。
例えば、「ファイル名」のパラメータは、ユーザにより「自動設定」が指定され（もしくはユーザは指定を行なわないが初期値が「自動」であり）、その結果、「２０１２０１０１．ｐｄｆ」が自動設定されている。この設定は、プレビュー表示の際に関連付け表示され、変更可能であり、キーボード等の入力手段が提供される。
例えば、「画質／ファイルサイズ」のパラメータは、ユーザが指定を行なわず、その結果、初期値である「高画質＋２」が設定されている。この設定は、プレビュー表示の際に関連付け表示され、変更可能であり、変更の選択肢として「もっと高画質に」、「もっと小さく」などが提供される。
【００５１】
ここで、ページ毎に適用されるパラメータの関連付け表示は、プレビュー表示のページ切り替わりに連動して変化する。一方、全体に適用されるパラメータの関連付け表示は、プレビュー表示のページ切り替わりに連動して変化することはない。
【００５２】
次に、自動設定されたパラメータの値の確度が低い場合について説明する。
例えば、「原稿向き」のパラメータの値を自動設定するには、読み取り結果の画像データに対してＯＣＲ（Optical Character Reader）をかけて文字を識別し、その識別結果に基づいて原稿の向きを導出する。ここで、ＯＣＲにより原稿の向きを導出するには文字情報が必要であるが、原稿中の文字が少ない場合には、原稿の向きを正確に導出することはできず、導出した原稿の向きは確度が低いものとなる。また、原稿中の文字が含まれない場合には、そもそも原稿の向きを導出できない。
【００５３】
そこで、本例の画像読取装置では、読み取り結果の画像データに基づいてパラメータの値を導出して自動設定するに際し、導出したパラメータの値について確度を算出し、当該確度が予め定めておいた基準に満たない場合に、プレビュー表示や関連付け表示の態様を変えるようにした。また、本例の画像読取装置では、情報が足りずに値を導出できなかったパラメータについてもプレビュー表示や関連付け表示の強調を行うべく、確度を０にしている。
【００５４】
図７（ａ）には、導出されたパラメータの値の確度が基準を満たす場合のプレビュー表示の例を示してあり、図７（ｂ）には、導出されたパラメータの値の確度が基準を満たさない場合のプレビュー表示の例を示してある。
図７（ｂ）のプレビュー表示では、画面上部のメッセージ領域に、「原稿の向き」のパラメータについて導出された値の確度が基準を満たさない旨を示すメッセージを表示してある。なお、メッセージの表示位置やメッセージの内容などは任意であり、導出された値の確度が基準を満たさないパラメータが存在する旨をユーザが把握可能であればよい。
【００５５】
また、図７（ｂ）のプレビュー表示では、４ページ目の画像データに基づいて導出された「原稿の向き」のパラメータの値が基準を満たさないことを示すべく、４ページ目のプレビュー表示に枠線を付してあり、これにより、４ページ目のプレビュー表示が強調されている。なお、プレビュー表示を強調する態様は任意であり、例えば、背景色を異ならせたり、予め定められた図形を付加したり、プレビュー表示を点滅させたりするなど、導出された値の確度が基準を満たさないパラメータを含むページをユーザが把握可能であればよい。
【００５６】
また、図７（ｂ）のプレビュー表示における関連付け表示では、導出された複数のパラメータにおける「原稿の向き」の文字を他のパラメータより太字にしてあり、これにより、「原稿の向き」に係る関連付け表示が強調されている。なお、関連付け表示を強調する態様は任意であり、例えば、文字を大きくしたり、文字の色を変えたり、文字の背景色を変えたりするなど、導出された値の確度が基準を満たさないパラメータをユーザが把握可能であればよい。
【００５７】
ここで、本例の画像読取装置は、各種演算処理を行うＣＰＵ（Ｃｅｎｔｒａｌ  Ｐｒｏｃｅｓｓｉｎｇ  Ｕｎｉｔ）、ＣＰＵの作業領域となるＲＡＭ（Ｒａｎｄｏｍ  Ａｃｃｅｓｓ  Ｍｅｍｏｒｙ）や基本的な制御プログラムなどを記録したＲＯＭ（Ｒｅａｄ  Ｏｎｌｙ  Ｍｅｍｏｒｙ）等の主記憶装置、各種のプログラムやデータを記憶するＨＤＤ（Ｈａｒｄ  Ｄｉｓｋ  Ｄｒｉｖｅ）等の補助記憶装置、各種の情報を表示出力するための表示装置及び操作者により入力操作に用いられる操作ボタンやタッチパネル等の入力機器とのインタフェースである入出力Ｉ／Ｆ、他の装置との間で有線又は無線により通信を行うインタフェースである通信Ｉ／Ｆ、といったハードウェア資源を有するコンピュータにより構成されている。
【００５８】
そして、本発明に係るプログラムを補助記憶装置等から読み出してＲＡＭに展開し、これをＣＰＵにより実行させることで、本発明に係る画像読取装置における導出手段及び表示手段の機能をコンピュータ上に実現している。
すなわち、本発明に係る導出手段の機能をパラメータ導出部６により実現し、本発明に係る表示手段の機能をプレビュー表示部８により実現している。
【００５９】
ここで、本発明に係るプログラムは、例えば、当該プログラムを記憶したＣＤ−ＲＯＭ等の外部記憶媒体から読み込む形式や、通信網等を介して受信する形式などにより、本例に係るコンピュータに設定される。
なお、本例のようなソフトウェア構成により各機能部を実現する態様に限られず、各機能部を専用のハードウェアモジュールで実現するようにしてもよい。
【符号の説明】
【００６０】
１：操作部、  ２：画像読取部、  ３：制御部、  ４：データ記憶部、  ５：データ処理部、  ６：パラメータ導出部、  ７：前処理部、  ８：プレビュー表示部、  ９：後処理部
【図１】
2014017636.tif 000003
【図２】
2014017636.tif 000004
【図３】
2014017636.tif 000005
【図４】
2014017636.tif 000006
【図５】
2014017636.tif 000007
【図６】
2014017636.tif 000008
【図７】
2014017636.tif 000009